(57)【要約】      （修正有）【課題】膝当ての貼着に拘わらず、この膝部を十分に柔軟にし、ズボン本体を着用する作業者の膝の屈伸をスムースにし、膝当てが作業や歩行の負担になることを回避するオーバーズボンを提供する。【解決手段】ズボン本体１１の膝部１１ａには膝当て１５が設けられ、この膝当てが、前記ズボン本体の膝部の左右位置に、少なくとも上下部の２箇所が当該ズボン本体の各膝部に対し引き延ばされた状態で溶着されたゴムバンドと、これらのゴムバンドを被い、そのゴムバンドの収縮時に前記各膝部とともに左右両側部にギャザー部Ｈを作るように各膝部に溶着された膝当てシート１６と、を備える構成である。【選択図】図１
0003173597.tif 000002
【実用新案登録請求の範囲】
【請求項１】
水作業用オーバーズボンのズボン本体であって、
該ズボン本体の膝部には膝当てが設けられ、
この膝当てが、
前記ズボン本体の膝部の左右位置に、少なくとも上下部の２箇所が当該ズボン本体の各膝部に対し上下方向に引き延ばされた状態で装着されたゴムバンドと、
これらのゴムバンドを被い、そのゴムバンドの収縮時に前記各膝部とともに左右両側部にギャザー部を作るように各膝部に装着された膝当てシートと、
を備えることを特徴とする水作業用のオーバズボン。
【請求項２】
前記ゴムバンドが、扁平断面形状をなすことを特徴とする請求項１記載の水作業用のオーバズボン。
【請求項３】
前記ゴムバンドが、前記ズボン本体の膝部の左右に配置されていることを特徴とする請求項１記載の水作業用のオーバズボン。
【考案の詳細な説明】
【技術分野】
【０００１】
本考案は、漁師や水産関係業者及び農業、土木工事など、水に濡れる作業に従事する者が着用する水作業用のオーバズボンに関するものである。
【背景技術】
【０００２】
漁師や水産関係業者などの水に濡れる作業に従事する者が着用する作業衣として、水作業をするため防水性の生地、例えば、ゴムや合成樹脂製の不織布及び基布に合成樹脂を塗布した伸縮性に乏しい布などからなる水作業用のオーバズボンがある。この水作業用のオーバズボンは、ズボン本体と、胸当て部と、背当て部と、１対の肩かけベルトと、により構成されている形態が一般的であり、ズボン本体に補強のための肉厚の膝当て布を張り合わせたものも多い（例えば、特許文献１を参照）。
【０００３】
この膝当て布は、水作業中の歩行や膝の屈伸が繰り返されることで疲労し易いズボン本体の膝部を補強するために、その膝部に重ねるように装着されている。この補強用の膝当てには、ズボン本体と同一素材である合成樹脂やゴム、あるいは金属繊維などからなる厚めのシート材が用いられる。
【先行技術文献】
【特許文献】
【０００４】
【特許文献１】特開２００５−２００７７８号公報
【考案の概要】
【考案が解決しようとする課題】
【０００５】
しかしながら、かかる従来の水作業用のオーバズボンでは、防水性の布地を使用するし、通気性も悪いために膝部の屈伸性は悪く、また、前述のように膝当て布の装着によってオーバズボン膝部の屈伸性はさらに低下し、膝部の剛性が高まり、膝の屈伸がスムースに行なえず、作業の障害となるし疲労の原因になることに加えて、歩行時に大きな負担になるという不都合があった。
【０００６】
本考案は上述した事情に鑑みてなされたものであり、その目的は、ズボン本体の膝部に対する膝当ての装着にも拘わらず、この膝部および膝当てを十分に柔軟にすることで、作業者の膝の屈伸をスムースに行なえるようし、しかも膝当てシートが歩行の負担にならないようにすることができる水作業用のオーバズボンを提供することにある。
【課題を解決するための手段】
【０００７】
前述した目的を達成するために、本考案に係る水作業用のオーバズボンは、水作業用オーバーズボンのズボン本体であって、該ズボン本体の膝部には膝当てが設けられ、この膝当てが、前記ズボン本体の膝部の左右位置に、少なくとも上下部の２箇所が当該ズボン本体の各膝部に対し上下方向に引き延ばされた状態で装着されたゴムバンドと、これらのゴムバンドを被い、そのゴムバンドの収縮時に前記各膝部とともに左右両側部にギャザー部を作るように各膝部に装着された膝当てシートと、を備えることを特徴とする。
【０００８】
この構成によれば、ゴムバンドは引き延ばした状態で上下部の２箇所がズボン本体の膝部と膝当てシートとに装着されているため、これらの膝部および膝当てシートには、そのゴムバンドの装着部を中心に常時上下方向にゴムバンドによる収縮力が作用し、上下方向に波を打ったようなギャザー部（皺部又は襞部）が生じる。従って、水作業用オーバズボンのズボン本体の着用時には、このズボン本体の皺状の膝部が膝の対応部位に臨み（対向し）、膝当てシート設置による屈伸性の低下はなく、膝の屈伸動作に応じて余裕を以って、柔軟かつスムースに伸縮する。従って、人の歩行や種々の作業に伴う動作を円滑化することができる。
【０００９】
また、本考案に係る水作業用のオーバズボンにおいて、前記ゴムバンドを、扁平断面形状を持つものとしたことで、互いに重なり合うズボン本体の膝部と膝当てシートとの嵩高を薄めに抑えることができる。さらに、ゴムバンドを、前記ズボン本体の膝部の左右に配置することで、前記ギャザー部を膝部や膝当てシートの上下方向にバランスよく発生させることができ、膝の屈伸によってギャザー部に作用する伸縮動作を円滑化することができる。
【００１０】
なお、水作業用オーバーズボンとしては、例えば、胴付きの形態、胴無しの形態、等種々のものが存在するが、本考案はいずれの形態においても許容されるものであり、実施の形態には制限を受けるものではない。
【考案の効果】
【００１１】
本考案によれば、膝部が膝当てシートの装着によっても屈伸性が低下せず、膝の屈伸などの動きに応じて柔軟に伸縮するため、水作業中の歩行や動作をスムースかつ軽快に実施できる。
【００１２】
以上、本考案について簡潔に説明した。更に、以下に説明される考案を実施するための最良の形態を、添付の図面を参照して詳細に説明する。
【図面の簡単な説明】
【００１３】
【図１】本考案の実施形態に係る水作業用のオーバズボンを示す斜視図である。
【図２】図１に示す水作業用オーバズボンのズボン本体要部の斜視図である。
【図３】図１に示す水作業用オーバズボンのズボン本体要部の分解斜視図である。
【図４】図１に示す水作業用オーバズボンのズボン本体一部を破断および拡大して示す斜視図である。
【図５】図２のＸ−Ｘ線で切断した膝部の断面図である。
【図６】膝屈曲時における本実施形態の膝部の形態を示す説明図である。
【考案を実施するための形態】
【００１４】
以下、本考案にかかる水作業用のオーバズボンの実施形態を、図１乃至図６を参照して説明する。
【００１５】
図１に示す本実施形態の水作業用のオーバズボンＰは、ズボン本体１１と、胸当て部１２と、背当て部１３と、一対の肩掛けベルト１４と、を備えて構成され、さらにズボン本体１１の膝部１１ａには膝当てシート１６が重なるように設けられている。ズボン本体１１、胸当て部１２および背当て部１３は、水作業に適する防水性の生地、例えばゴムや合成樹脂性の不織布および基布に合成樹脂を塗布したものが用いられる。また、縫製部（図示しない）には水の浸入を防止するためのシール処理、例えば接着や融着などによる接合処理が施されている。
【００１６】
また、胸当て部１２上部および背当て部１３上部の左右両端部にはそれぞれ１本ずつの肩掛けベルト１４の端部が装着されている。
【００１７】
膝当て１５は、図２〜図５に示すように、膝当てシート１６およびゴムバンド１７からなり、膝当てシート１６はズボン本体１１と同一又は異なる材質の、例えばゴム製または合成樹脂製の不織布または基布に合成樹脂を塗布したものなどからなる。膝当てシート１６はズボン本体１１の膝部１１ａを十分に被う広めのサイズ、形状をなし、一般的には、図示のように略矩形とされる。
【００１８】
ゴムバンド１７は全体にリング状をなし、所定厚みの扁平な断面形状（図５参照）を持つ。このリング状をなすゴムバンド１７は、ズボン本体１１の上下方向（長手方向）に長く引き延ばされた状態の両端部（上下端部）Ｐ１、Ｐ２が、ズボン本体１１の膝部１１ａの左右２箇所と、膝当てシート１６の幅方向の左右２箇所とにそれぞれ装着（本例では溶着されているので、以下では溶着と称す。）されている。つまり、これらのゴムバンド１７の少なくとも上下の２箇所である上端部Ｐ１および下端部Ｐ２が、膝当てシート１６の両端部の上下部と、この膝当てシート１６が重ね合わされる膝部１１ａの左右の上下部とに熱溶着されている。
【００１９】
従って、この膝部１１ａと膝当てシート１６との溶着部となる上端部Ｐ１および下端部Ｐ２以外では、図５に示すようにゴムバンド１７は膝部１１ａおよび膝当てシート１６に対してフリーとなり、伸縮自在となる。なお、ゴムバンド１７を、扁平な断面形状を持つものとしたことで、互いに重なり合うズボン本体１１の膝部１１ａと膝当てシート１６との嵩高を薄めに抑えることができる。また、ゴムバンド１７を、前記ズボン本体１１の膝部１１ａの左右に配置することで、前記ギャザー部Ｈを膝部１１ａや膝当てシート１６の上下方向にバランスよく発生させることができ、膝の屈伸によってギャザー部Ｈに作用する伸縮動作を円滑化することができる。
【００２０】
なお、前記ゴムバンド１７の膝当てシート１６および膝部１１ａに対する熱溶着は、ゴムバンド１７を所定長分引き延ばした状態でなされるため、この熱溶着部が固化した後は引き延ばし前の長さに復元（収縮）することとなる。従って、このゴムバンド１７の復元によって、膝当てシート１６および膝部１１ａは上下方向に、図２、図４および図６に示すように、ギャザー部（波形の皺部又は襞部）Ｈを生じることになる。この膝当てシート１６および膝部１１ａに生じるギャザー部Ｈの皺は、前記溶着部を中心として周辺に向って起伏が徐々に小さくなるように広がる。
【００２１】
また、膝当てシート１６は膝部１１ａに対して、図２に示すように、その膝当てシート１６外周部の溶着領域Ａ、一対のゴムバンド１７、１７間であって溶着領域Ａに囲まれた環状領域Ｂ、この環状領域Ｂに囲まれた環状領域Ｃ、この環状領域Ｃに囲まれた環状領域Ｄ、環状領域Ｃと環状領域Ｄとを接続する４本の直線領域Ｅ、各ゴムバンド１７の環状部内の領域Ｆにおいて熱溶着されている。
【００２２】
なお、各領域Ａ〜Ｆの幅はそれぞれ溶着後の強度等に応じて予め決められる。従って、これらの領域Ａ〜Ｆ以外の領域では、膝当てシート１６は膝部１１ａに対して分離状態になり、これらの領域Ａ〜Ｆ以外の領域では、膝当てシート１６および膝部１１ａは相互に干渉せずに動きがフリーとなる。この結果、作業者の膝の屈伸動作時に、膝部の動きが膝当てシート１６によって妨げられることがなく、また膝当てシート１６の動きが膝部の動きによって妨げることもない。
【００２３】
図６は、水作業中に作業者が膝を曲げたときの膝部１１ａ付近の形態を示す。作業者が膝を曲げると、その膝の曲げ具合に応じて、ズボン本体１１の膝部１１ａには前方に押し出されるような緊張力が作用し、逆にこの膝部１１ａの裏側は緩むように撓む。膝部１１ａに前方に押し出されるような緊張力が作用すると、これまでゴムバンド１７によってギャザー部Ｈを作るように縮んでいた膝部１１ａは、そのゴムバンド１７が引き延ばされることによって、ギャザー部Ｈの起伏が浅くなる方向にスムースに伸長していく。従って、ズボン本体１１を着用する作業者は、歩行時や作業時に膝に突っ張り感や抵抗感を覚えることがなくなり、水作業用オーバズボンＰの着用感が向上することとなる。
【００２４】
次に、ズボン本体１１の膝部１１ａおよび膝当てシート１６に対するゴムバンド１７の取り付け手順の一例を述べる。このゴムバンド１７の取り付けに当って、このゴムバンド１７の両端に引っ張り力を作用させて所定長分引き延ばす。そして、その所定長を維持したまま、このゴムバンド１７の両端部（上端部Ｐ１および下端部Ｐ２）をズボン本体１１の膝部１１ａに溶着する。
【００２５】
このゴムバンド１７の両端部（上端部Ｐ１および下端部Ｐ２）の、ズボン本体１１の膝部１１ａに対する溶着部が固化した後は、ゴムバンド１７に対する前記引っ張り力を解除する。すると、ゴムバンド１７の収縮方向への復元によって、その溶着部を中心として膝部１１ａには皺が発生する。続いて、そのゴムバンド１７を含む領域の膝部１１ａを十分に被うように膝当てシート１６を被せ、再びゴムバンド１７に対し引っ張り力を作用させる。このため前述のようにゴムバンド１７に溶着されて、皺が生じているズボン本体１１の膝部１１ａも引き延ばされる。  
【００２６】
そこで、その膝部１１ａが引き延ばされた状態で、ゴムバンド１７の前記両端部Ｐ１、Ｐ２に膝当てシート１６を熱溶着する。この引き延ばし時には、膝部１１ａおよび膝当てシート１６は共に皺が生じるように縮んだ状態ではなく、膝当てシート１６の前記領域Ａ〜Ｆにおける熱溶着も同時に実施される。このようにしてズボン本体１１の膝部１１ａおよび膝当てシート１６に対するゴムバンド１７の取り付けがなされる。前記ズボン本体１１の膝部１１ａへの膝当てシート１６およびゴムバンド１７の装着は、水密的であってズボン本体から水が浸入しないように行われる。従って、この実施の形態の様な溶着は好ましい方法である。しかし、この方法は一例であり、本実施形態では伸縮材料の周知のあらゆる装着方法を採用することができる。
【００２７】
なお、前記においては、ゴムバンド１７がリング状をなすものについて説明したが、所定長の帯状をなすものとすることもできる。また、ズボン本体１１の膝部１１ａについて、図面上片足側についてのみ示したが、他の片足も同一の構成である。
【００２８】
以上のように、本実施形態の水作業用のオーバズボンは、ズボン本体１１の膝部１１ａに膝当て１５を設け、この膝当て１５を、ズボン本体１１の膝部１１ａの左右位置に配置されて少なくとも上下部の２箇所で、当該膝部１１ａに溶着された扁平で上下方向に長いゴムバンド１７を溶着し、これらのゴムバンド１７を被うとともに膝部１１ａの左右両側部分にギャザー部（皺部）Ｈを作るようにこの膝部１１ａに膝当てシート１６を溶着した構成とした。
【００２９】
従って、膝当てシート１６の装着によっても膝部１１ａ部分の屈伸性（伸縮性）は低下せず、この膝部１１ａが十分に柔軟となり、これによってズボン本体１１を着用する作業者の膝の屈伸をスムースにし、しかも膝当てシート１６が歩行の負担になることを回避できる。
【００３０】
また、ゴムバンド１７を、扁平断面形状を持つものとしたことで、互いに重なり合うズボン本体１１の膝部１１ａと膝当てシート１６との嵩高を薄めに抑えることができる。膝部１１ａ付近の形態をデザイン的にスマートにすることができる。加えて、ゴムバンド１７を、ズボン本体１１の膝部１１ａの左右に配置することで、前記ギャザー部Ｈを膝部１１ａや膝当てシート１６の上下方向にバランスよく発生させることができ、膝の屈伸によってギャザー部Ｈに作用する伸縮動作を円滑化することができる。
【符号の説明】
【００３１】
１１  ズボン本体
１１ａ  膝部
１２  胸当て部
１３  背当て部
１４  肩掛けベルト
１５  膝当て
１６  膝当てシート
１７  ゴムバンド
Ａ〜Ｆ  溶着領域
Ｈ  ギャザー部（皺部）
Ｐ  水作業用オーバズボン
【図１】
0003173597.tif 000003
【図２】
0003173597.tif 000004
【図３】
0003173597.tif 000005
【図４】
0003173597.tif 000006
【図５】
0003173597.tif 000007
【図６】
0003173597.tif 000008